【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
光硬化性樹脂バインダー１〜５０重量％、第１級アミノ系及び第２級アミノ系のカップリング剤で構成されるグループから選択されたアミン化合物０．０１〜５重量％、光開始剤０．１〜５重量％及び残部溶媒を含む液晶配向膜組成物。
【請求項２】
前記光硬化性樹脂バインダーは、ヒドロキシエチルアクリレート、ヒドロキシプロピルアクリレート、エトキシエチルアクリレート、エチレングリコールジメタクリレート、ジエチレングリコールジメタクリレート、ポリエチレングリコールジメタクリレート、トリエチレングリコールジメタクリレート、ペンタエリトリトールアクリレート、ペンタエリトリトールジアクリレート、ペンタエリトリトールトリアクリレート、トリメチロールプロパントリアクリレート、トリメチロールプロパントリメタクリレート、ジペンタアクリトリトールヘキサアクリレート、ジペンタアクリトリールペンタアクリレート、ジペンタエリトリトールテトラアクリレート、ジペンタエリトリトールペンタアクリレート、ウレタンアクリレートオリゴマー、エポキシアクリレートオリゴマー、ポリエーテルアクリレート、及びポリエステルアクリレートで構成されるグループから選択された少なくとも１種を使用することを特徴とする請求項１に記載の液晶配向膜組成物。
【請求項３】
前記光開始剤は、２−メチル−１−［４−（メチルチオ）フェニル］−２−（４−モルホリニル）−１−プロパノン、２−ジメトキシ−１，２−ジフェニルエタン−１−オン、１−ヒドロキシ−シクロヘキシル−フェニル−ケトン、トリアリールスルホニウムヘキサフルオロアンチモン酸塩及びジフェニル（２，４，６−トリメチルベンゾイル）−ホスフィンオキシドで構成されるグループから選択された少なくとも１種であることを特徴とする請求項１又は請求項２に記載の液晶配向膜組成物。
【請求項４】
前記第１級アミノ系のカップリング剤は、下記化学式１で表される請求項１から請求項３の何れか１項に記載の液晶配向膜組成物。
［化学式１］
【化１】
2012523581.tif 000001
（前記化学式１において、
Ｒ１はＣ１〜Ｃ２０のアルキル基、Ｃ３〜Ｃ６のシクロアルキル基、Ｃ１〜Ｃ１９アルキルアミン基、−ＮＢＢ"及び−ＲＳｉ（Ｒ'）ｎ（ＯＲ"）３−ｎで構成されるグループから選択され、前記Ｂ及びＢ"は同一、又は異なることができ、それぞれＨ及びＣ１〜Ｃ８アルキル基から独立して選択され、前記Ｒ、Ｒ'及びＲ"は同一、又は異なることができ、それぞれＣ１〜Ｃ８のアルキル基から独立して選択され、
ｎは０から２の整数であり、
Ｒ２は単純結合、又はＣ１〜Ｃ２０のアルカンジイル基であり、前記アルカンジイル基のうち相互隣接しない１から２個の−ＣＨ２−は−Ｏ−、−ＮＨ−、−ＣＨ＝ＣＨ−、−ＣＯＮＨ−及びＣ３〜Ｃ８のシクロアルカンジイル基で構成されるグループから選択された少なくとも１つのグループに代えることができる。）
【請求項５】
前記第２級アミノ系のカップリング剤は、下記化学式２から５で表される請求項１から請求項３の何れか１項に記載の液晶配向膜組成物。
［化学式２］
【化２】
2012523581.tif 000002
（前記化学式２において、
Ｒ３及びＲ６は同一、又は異なることができ、Ｃ１〜Ｃ２０のアルキル基、Ｃ１〜Ｃ１９アルキルアミン基、アミン基及び−ＲＳｉ（Ｒ'）ｎ（ＯＲ"）３−ｎで構成されるグループからそれぞれ独立して選択され、前記Ｒ、Ｒ'及びＲ"は同一、又は異なることができ、それぞれＣ１〜Ｃ８のアルキル基から独立して選択され、
前記ｎは０から２の整数であり、
Ｒ４及びＲ５は同一、又は異なることができ、単純結合、又はＣ１〜Ｃ２０のアルカンジイル基で構成されるグループから独立して選択され、前記アルカンジイル基のうち隣接しない１から２個の−ＣＨ２−は−Ｏ−、−ＮＨ−、−ＣＨ＝ＣＨ−、−ＣＯＮＨ−及びＣ３〜Ｃ８のシクロアルカンジイル基で構成されるグループから選択された少なくとも１つのグループに代えることができる。）
［化学式３］
【化３】
2012523581.tif 000003
（前記化学式３において、
Ｒ７、Ｒ８及びＲ９は同一、又は異なることができ、それぞれ置換又は非置換のＣ１〜Ｃ２０アルカンジイル基から独立して選択され、前記アルカンジイル基のうち相互隣接しない１から２個の−ＣＨ２−は−Ｏ−、−ＮＨ−、−ＣＨ＝ＣＨ−、−ＣＯＮＨ−及びＣ３〜Ｃ８のシクロアルカンジイル基で構成されるグループから選択された少なくとも１つのグループに代えることができ、前記Ｃ１〜Ｃ２０アルカンジイル基が置換される場合、置換体は−Ｃ＝０であることができる。）
［化学式４］
【化４】
2012523581.tif 000004
（前記化学式４において、
Ｒａ、Ｒｂ、Ｒｄ及びＲｅは互いに同一、又は異なることができ、それぞれＣ１〜Ｃ８のアルキル基から独立して選択され、
Ｒｃ及びＲｆは互いに同一、又は異なることができ、それぞれＣ１〜Ｃ２０のアルカンジイル基から独立して選択され、
前記アルカンジイル基のうち相互隣接しない１から２個の−ＣＨ２−は−Ｏ−、−ＮＨ−、−ＣＨ＝ＣＨ−、−ＣＯＮＨ−及びＣ３〜Ｃ８のシクロアルカンジイル基で構成されるグループから選択された少なくとも１つのグループに代えることができ、ｎ及びｍはそれぞれ独立して０〜２の整数である。）
［化学式５］
【化５】
2012523581.tif 000005
（前記化学式５において、
Ｒｑ、Ｒｒ及びＲｔは互いに同一、又は異なることができ、それぞれＣ１〜Ｃ８のアルキル基から独立して選択され、
ＲｓはＣ１〜Ｃ２０のアルカンジイル基であり、
前記アルカンジイル基のうち相互隣接しない１から２個の−ＣＨ２−は−Ｏ−、−ＮＨ−、−ＣＨ＝ＣＨ−、−ＣＯＮＨ−及びＣ３〜Ｃ８のシクロアルカンジイル基で構成されるグループから選択された少なくとも１つのグループに代えることができ、
ｍは０から２の整数である。）
【請求項６】
前記第１級アミノ系のカップリング剤は、メチルアミン、エチルアミン、１−プロピルアミン、２−プロピルアミン、１−ブチルアミン、２−ブチルアミン及び３−（ジメチルアミノ）プロピルアミン、シクロプロピルアミン、シクロブチルアミン、シクロペンチルアミン、シクロヘキシルアミンで構成されるグループから選択される少なくとも１種である請求項１から請求項４の何れか１項に記載の液晶配向膜組成物。
【請求項７】
前記第２級アミノ系のカップリング剤は、ジメチルアミン、ジエチルアミン、ジプロピルアミン、ジブチルアミン、アゼチジン、ピロリジン、ピペリジン、２−アゼチジノン、２−ピロリジノン、２−ピペリジノン、ビス（３−トリメトキシシリルプロピル）アミン、ビス（３−トリエトキシシリルプロピル）アミン、Ｎ−（ｎ−ブチル）−３−アミノプロピルトリメトキシシラン、Ｎ−（ｎ−ブチル）−３−アミノプロピルトリエトキシシラン、Ｎ−メチルアミノプロピルトリメトキシシラン及びＮ−メチルアミノプロピルトリエトキシシランで構成されるグループから選択された少なくとも１種である請求項１から請求項３及び請求項５の何れか１項に記載の液晶配向膜組成物。
【請求項８】
前記第１級及び第２級アミノ系のカップリング剤は、下記化学式６−１から６−４で表されるアミン化合物で構成されるグループから選択された少なくとも１種である請求項１から請求項３の何れか１項に記載の液晶配向膜組成物。
［化学式６−１］
【化６−１】
2012523581.tif 000006
［化学式６−２］
【化６−２】
2012523581.tif 000007
［化学式６−３］
【化６−３】
2012523581.tif 000008
［化学式６−４］
【化６−４】
2012523581.tif 000009
【請求項９】
前記液晶配向膜組成物は、液晶が垂直配向されるようにすることを特徴とする請求項１から８の何れか１項に記載の液晶配向膜組成物。
【請求項１０】
請求項１から８の何れか１項の液晶配向膜組成物で形成された液晶配向膜。
【請求項１１】
基材に請求項１から８の何れか１項の液晶配向膜組成物をコーティングする段階と、
前記液晶配向膜組成物から溶媒を除去する段階と、
溶媒が除去された液晶配向膜組成物を硬化させる段階と
を含む液晶配向膜の製造方法。
【請求項１２】
基材と、
前記基材上に請求項１から８の何れか１項の液晶配向膜組成物で形成された液晶配向膜と、
前記液晶配向膜上に形成された液晶層と
を含む光学フィルム。
【請求項１３】
請求項１２の光学フィルムを含むディスプレイ装置。